【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
観察者向けのレンダリングされた３次元コンテンツを判断する方法であって、
少なくとも基準ビューを含む基準コンテンツを入力することと、
表示装置の基準軸に対する前記観察者の眼配向に関する少なくとも１つの情報を入力することと、
レンダリングされたビューを前記基準ビューと前記表示装置の前記基準軸に対する前記観察者の眼配向に関する前記情報とに応じて決定することと、
前記基準ビューと前記レンダリングされたビューとを組み合わせることにより、前記レンダリングされた３次元コンテンツを生成することと、を含む方法。
【請求項２】
前記基準コンテンツは、前記基準ビュー内の奥行きを描写する奥行きマップ、または少なくとも１つの所与ビューと前記基準ビューとの間の視差に関する情報、または少なくとも１つの所与ビューを含み、
前記レンダリングされたビューを判断することもまた、前記奥行きマップまたは視差に関する前記情報または前記少なくとも１つの所与ビューに応じたものである、請求項１に記載の方法。
【請求項３】
前記基準コンテンツは、前記表示装置の前記基準軸と角度を形成する少なくとも１つの傾斜軸に沿った前記基準ビューの隠蔽部分に関する遮蔽情報を含み、
前記レンダリングされたビューを判断することもまた前記遮蔽情報に応じたものである、請求項１または２に記載の方法。
【請求項４】
前記遮蔽情報は、前記表示装置の前記基準軸と角度を形成する少なくとも２つの傾斜軸に沿った前記基準ビューの隠蔽部分に関する、請求項３に記載の方法。
【請求項５】
判断することは、前記基準ビュー、前記奥行きマップまたは視差に関する前記情報、前記遮蔽情報、および前記表示装置の前記基準軸に対する前記観察者の眼配向に関係する前記情報に応じて補間することからなる、請求項３または４に記載の方法。
【請求項６】
補間することは、
前記レンダリングされたビューの奥行きマップを前記基準ビュー奥行きマップから判断することと、
前記遮蔽マップ情報に基づき前記基準ビューの隠蔽部分を判断することとを含む、請求項５に記載の方法。
【請求項７】
補間することは前記レンダリングされたビューの各画素の色を前記基準ビュー内の当該画素の色に基づき判断することを含む、請求項６に記載の方法。
【請求項８】
前記基準ビューは前記観察者の左眼または右眼からのビューに対応し、判断すべき前記レンダリングされたビューは前記観察者の反対の眼からのビューに対応し、
前記基準ビュー内の位置（ｕＬ，ｖＬ）に位置するオブジェクトの前記レンダリングされたビュー内の位置（ｕＲ，ｖＲ）は次式により与えられ：
【数１】
2017163528.tif 000001
ここで、
【数２】
2017163528.tif 000002
はベースラインベクトルの水平および垂直成分であり、
【数３】
2017163528.tif 000003
はＢ＊ｃｏｓθに等しく
【数４】
2017163528.tif 000004
はＢ＊ｓｉｎθに等しく、Ｂは前記観察者の眼間の距離であり、
ここで、ＺＬ（ｕＬ，ｖＬ）は前記位置（ｕＬ，ｖＬ）における奥行き値に対応し、ｆｕとｆｖそれぞれは、前記観察者の眼配向を感知するようにされたセンサ上の水平および垂直方向密度と焦点長との積である、請求項１〜７のいずれか一項に記載の方法。
【請求項９】
前記基準コンテンツは明視野データを含む、請求項１〜８のいずれか一項に記載の方法。
【請求項１０】
前記基準コンテンツは複数の所与ビューを含み、
判断することは前記レンダリングされたビューを前記基準コンテンツと前記表示装置の前記基準軸に対する前記観察者の眼配向に関する情報とに応じて前記所与ビューの中から選択することからなる、請求項３〜４のいずれか一項に記載の方法。
【請求項１１】
観察者向けのレンダリングされた３次元コンテンツを判断するための装置であって、レンダリングされたビューを
少なくとも基準ビューを含む基準コンテンツと、
表示装置の基準軸に対する前記観察者の眼配向に関する少なくとも１つの情報とに応じて判断するモジュールを含む装置。
【請求項１２】
前記表示装置の前記基準軸に対する前記観察者の眼配向を判断するようにされた少なくとも１つのセンサを含む請求項１１に記載の装置。
【請求項１３】
レンダリングされたビューを
少なくとも基準ビューを含む基準コンテンツと、
表示装置の基準軸に対する観察者の眼配向に関係する少なくとも１つの情報とに応じて判断するモジュールを含むレンダリングされた３次元コンテンツを判断するための装置を含む明視野捕捉装置。
【請求項１４】
通信ネットワークからダウンロード可能なおよび／またはコンピュータにより読み取り可能なおよび／またはプロセッサにより実行可能な媒体に記録されたコンピュータプログラム製品であって、請求項１〜１０のいずれか一項に記載の方法を実施するためのプログラムコード命令を含むコンピュータプログラム製品。
【請求項１５】
その上に記録されるとともにプロセッサにより実行されることができるコンピュータプログラム製品であって請求項１〜１０のいずれか一項に記載の方法を実施するためのプログラムコード命令を含むコンピュータプログラム製品を含む非一時的コンピュータ可読キャリア媒体。
【手続補正２】
【補正対象書類名】明細書
【補正対象項目名】００８４
【補正方法】変更
【補正の内容】
【００８４】
本開示は１つまたは複数の例を参照して説明されたが、当業者は、変更は、本開示および／または添付特許請求項の範囲から逸脱することのない形式および詳細でもってなされ得るということを認識することになる。
上記実施形態の一部又は全部は、以下の付記のようにも記載されうるが、以下には限られない。
（付記１）
観察者向けのレンダリングされた３次元コンテンツを判断する方法（１）であって、
少なくとも基準ビュー（８）を含む基準コンテンツ（Ｒｅｆ＿Ｃ）を入力すること（２）と、
表示装置の基準軸（Ｘ）に対する前記観察者の眼配向（θ）に関する少なくとも１つの情報を入力すること（４）と、
レンダリングされたビュー（６）を前記基準ビュー（８）と前記表示装置の前記基準軸（Ｘ）に対する前記観察者の眼配向（θ）に関する前記情報とに応じて決定すること（５）と、
前記基準ビューと前記レンダリングされたビューとを組み合わせることにより、前記レンダリングされた３次元コンテンツを生成することと、を含む方法。
（付記２）
前記基準コンテンツ（Ｒｅｆ＿Ｃ）は、前記基準ビュー（８）内の奥行きを描写する奥行きマップ（ＺＬ）、または少なくとも１つの所与ビュー（９）と前記基準ビュー（８）との間の視差に関する情報、または少なくとも１つの所与ビュー（９）を含み、
前記レンダリングされたビュー（６）を判断すること（５）もまた、前記奥行きマップ（ＺＬ）または視差に関する前記情報または前記少なくとも１つの所与ビュー（９）に応じたものである、付記１に記載の方法（１）。
（付記３）
前記基準コンテンツ（Ｒｅｆ＿Ｃ）は、前記表示装置の前記基準軸（Ｘ）と角度を形成する少なくとも１つの傾斜軸に沿った前記基準ビュー（８）の隠蔽部分（３）に関する遮蔽情報（ＶＯ）を含み、
前記レンダリングされたビュー（６）を判断すること（５）もまた前記遮蔽情報（ＶＯ）に応じたものである、付記１または２に記載の方法（１）。
（付記４）
前記遮蔽情報（ＶＯ）は、前記表示装置の前記基準軸（Ｘ）と角度を形成する少なくとも２つの傾斜軸に沿った前記基準ビュー（８）の隠蔽部分（３）に関する、付記３に記載の方法（１）。
（付記５）
判断すること（５）は、前記基準ビュー（８）、前記奥行きマップ（ＺＬ）または視差に関する前記情報、前記遮蔽情報（ＶＯ）、および前記表示装置の前記基準軸（Ｘ）に対する前記観察者の眼配向（θ）に関係する前記情報に応じて補間することからなる、付記３または４に記載の方法（１）。
（付記６）
補間することは、
前記レンダリングされたビュー（６）の奥行きマップ（ＺＲ）を前記基準ビュー奥行きマップ（ＺＬ）から判断することと、
前記遮蔽マップ情報（ＶＯ）に基づき前記基準ビュー（８）の隠蔽部分（３）を判断することとを含む、付記５に記載の方法（１）。
（付記７）
補間することは前記レンダリングされたビュー（６）の各画素の色を前記基準ビュー（８）内の当該画素の色に基づき判断することを含む、付記６に記載の方法（１）。
（付記８）
前記基準ビュー（８）は前記観察者の左眼または右眼からのビューに対応し、判断すべき前記レンダリングされたビュー（６）は前記観察者の反対の眼からのビューに対応し、
前記基準ビュー内の位置（ｕＬ，ｖＬ）に位置するオブジェクトの前記レンダリングされたビュー（６）内の位置（ｕＲ，ｖＲ）は次式により与えられ：
【数１４】
2017163528.tif 000005
ここで、
【数１５】
2017163528.tif 000006
はベースラインベクトルの水平および垂直成分であり、
【数１６】
2017163528.tif 000007
はＢ＊ｃｏｓθに等しく
【数１７】
2017163528.tif 000008
はＢ＊ｓｉｎθに等しく、Ｂは前記観察者の眼間の距離であり、
ここで、ＺＬ（ｕＬ，ｖＬ）は前記位置（ｕＬ，ｖＬ）における奥行き値に対応し、ｆｕとｆｖそれぞれは、前記観察者の眼配向を感知するようにされたセンサ上の水平および垂直方向密度と焦点長との積である、付記１〜７のいずれか一項に記載の方法（１）。
（付記９）
前記基準コンテンツ（Ｒｅｆ＿Ｃ）は明視野データを含む、付記１〜８のいずれか一項に記載の方法（１）。
（付記１０）
前記基準コンテンツ（Ｒｅｆ＿Ｃ）は複数の所与ビュー（９）を含み、
判断すること（５）は前記レンダリングされたビュー（６）を前記基準コンテンツ（Ｒｅｆ＿Ｃ）と前記表示装置の前記基準軸（Ｘ）に対する前記観察者の眼配向（θ）に関する情報とに応じて前記所与ビュー（９）の中から選択することからなる、付記３〜４のいずれか一項に記載の方法（１）。
（付記１１）
観察者向けのレンダリングされた３次元コンテンツを判断するための装置（７）であって、レンダリングされたビュー（６）を
少なくとも基準ビュー（８）を含む基準コンテンツ（Ｒｅｆ＿Ｃ）と、
表示装置の基準軸（Ｘ）に対する前記観察者の眼配向（θ）に関する少なくとも１つの情報とに応じて判断する（５）モジュール（１６）を含む装置（７）。
（付記１２）
前記表示装置の前記基準軸（Ｘ）に対する前記観察者の眼配向（θ）を判断するようにされた少なくとも１つのセンサ（１３）を含む付記１１に記載の装置（７）。
（付記１３）
レンダリングされたビュー（６）を
少なくとも基準ビュー（８）を含む基準コンテンツ（Ｒｅｆ＿Ｃ）と、
表示装置の基準軸（Ｘ）に対する観察者の眼配向（θ）に関係する少なくとも１つの情報とに応じて判断する（５）モジュール（１６）を含むレンダリングされた３次元コンテンツを判断するための装置（７）を含む明視野捕捉装置（１５）。
（付記１４）
通信ネットワークからダウンロード可能なおよび／またはコンピュータにより読み取り可能なおよび／またはプロセッサ（１０）により実行可能な媒体に記録されたコンピュータプログラム製品であって、付記１〜１０のいずれか一項に記載の方法（１）を実施するためのプログラムコード命令を含むコンピュータプログラム製品。
（付記１５）
その上に記録されるとともにプロセッサ（１０）により実行されることができるコンピュータプログラム製品であって付記１〜１０のいずれか一項に記載の方法（１）を実施するためのプログラムコード命令を含むコンピュータプログラム製品を含む非一時的コンピュータ可読キャリア媒体。